(57)【要約】      （修正有）【課題】ラチェットが欠けたり、すり減ったりしてもラチェットのみを簡単に交換することができ、把手ごと取り替えてしまったり、工具自体を廃棄してしまう必要がなく、安価に修理することができる手動工具を提供する。【解決手段】  枢支軸１に枢支され開閉自在な一対の把手２、３と、これら把手２、３のそれぞれ先端部に回動自在に枢支されると共に連結板４に回動自在に枢支された押圧子５、５とを備え、把手２、３の開閉動作により押圧子５、５が協動して開閉するように構成され、一方の把手２には、枢支軸１を中心とした弧状のラチェット８を形成したラチェット板９が着脱自在に取り付けられ、他方の把手３には、ラチェット８と係合可能な爪１０を有する回動体１１が枢着され、さらに回動体１１には、弾性体１４により、爪１０がラチェット８と係合する方向に付勢されている。【選択図】図１
2007075982.tif 000002
【特許請求の範囲】
【請求項１】
枢支軸（１）に枢支され開閉自在な一対の把手（２、３）と、これら把手（２、３）のそれぞれ先端部に回動自在に枢支されると共に連結板（４）に回動自在に枢支された押圧子（５、５）とを備え、把手（２、３）の開閉動作により押圧子（５、５）が協動して開閉するように構成され、一方の把手（２）には、枢支軸（１）を中心とした弧状のラチェット（８）を形成したラチェット板（９）が着脱自在に取り付けられ、他方の把手（３）には、ラチェット（８）と係合可能な爪（１０）を有する回動体（１１）が枢着され、さらに回動体（１１）には、弾性体（１４）により、爪（１０）がラチェット（８）と係合する方向に付勢されていることを特徴とする手動工具。
【請求項２】
前記ラチェット板（９）に止孔（９ａ）を設けたものとし、ビス（１２）をこの止孔（９ａ）に通して、前記一方の把手（２）に設けたビス孔（１３）にねじ込んだものとしたことを特徴とする請求項１記載の手動工具。
【発明の詳細な説明】
【技術分野】
【０００１】
この発明は、ラチェット機構を備えた手動工具、例えば電線やケーブルの端末に圧着端子等を圧着するために用いられる圧着工具などの手動工具に関するものである。
【背景技術】
【０００２】
従来、この種の手動工具としては、例えば図６、７に示したように、枢支軸２１に枢支され開閉自在な一対の把手２２、２３と、これら把手２２、２３のそれぞれ先端部に回動自在に枢支されると共に連結板２４に回動自在に枢支された押圧子２５、２５とを備え、把手２２、２３の開閉動作により押圧子２５、２５が協動して開閉するように構成されたものが存在する。
【０００３】
そして、この手動工具は、一方の把手２３に、枢支軸２１を中心とした弧状のラチェット２６がその把手２３と一体的に形成されている。また、他方の把手２２には、ラチェット２６と係合可能な爪２７を有する回動体２８が枢着され、さらに回動体２８は、弾性体２９により、爪２７がラチェット２６と係合する方向に付勢されている。さらに、ラチェット２６は、枢支軸２１の軸長方向で互いに対向し、且つ枢支軸２１の軸周り方向で互いに位相が異なるよう形成されてなる第一ラチェット３１と第二ラチェット３２とからなるものとしている。しかも、爪２７は、第一ラチェット３１と係合可能な第一爪３３と、第二ラチェット３２と係合可能な第二爪３４とからなるものとしている（特許文献１）。
【０００４】
このように構成された手動工具は、枢支軸を中心とした弧状のラチェットが把手に一体的に形成されているため、部品点数を削減することができ、組み立て作業を簡素にすることができると共に、安価に製作することができるとしている。さらに、ラチェットと爪が係合するに際して、第一ラチェットが第一爪と係合し、第二ラチェットが第二爪と係合する構成であるため、力を二箇所に分散することができ、ラチェット及び爪の耐久性を高めることができるとしている。
【特許文献１】特許第３３９９８３０号公報（第１、５頁、図１、２）
【発明の開示】
【発明が解決しようとする課題】
【０００５】
上記従来の手動工具は、第一ラチェットが第一爪と係合し、第二ラチェットが第二爪と係合する構成であるため、ラチェット及び爪の耐久性を高めることができるとしているが、ラチェット及び爪はこの種の工具において特に力がかかる部分であるので、長年の使用によりどうしても欠けたり、すり減ったりしてしまう。
【０００６】
しかしながら、従来の手動工具は、ラチェットが把手に一体的に形成されているため、部品点数を削減することができたとしても、ラチェットが欠けたり、すり減ったりするとラチェットのみを交換することができず、把手ごと取り替えてしまうか、工具自体をそのまま廃棄してしまうしかないという問題点を有していた。
【０００７】
そこで、この発明は、上記従来の問題点を解決することをその課題としており、ラチェットが欠けたり、すり減ったりしてもラチェットのみを簡単に交換することができ、把手ごと取り替えてしまったり、工具自体を廃棄してしまう必要がなく、安価に修理することができる手動工具を提供することを目的としてなされたものである。
【課題を解決するための手段】
【０００８】
そのため、この発明の手動工具は、枢支軸１に枢支され開閉自在な一対の把手２、３と、これら把手２、３のそれぞれ先端部に回動自在に枢支されると共に連結板４に回動自在に枢支された押圧子５、５とを備え、把手２、３の開閉動作により押圧子５、５が協動して開閉するように構成され、一方の把手２には、枢支軸１を中心とした弧状のラチェット８を形成したラチェット板９が着脱自在に取り付けられ、他方の把手３には、ラチェット８と係合可能な爪１０を有する回動体１１が枢着され、さらに回動体１１には、弾性体１４により、爪１０がラチェット８と係合する方向に付勢されている。
【０００９】
さらに、この発明の手動工具は、前記ラチェット板９に止孔９ａを設けたものとし、ビス１２をこの止孔９ａに通して、前記一方の把手２に設けたビス孔１３にねじ込んだものとしている。
【発明の効果】
【００１０】
この発明の手動工具は、以上に述べたように構成されているので、ラチェットが欠けたり、すり減ったりしてもラチェットのみを簡単に交換することができ、把手ごと取り替えてしまったり、工具自体を廃棄してしまう必要がなく、安価に修理することができるものとなった。
【発明を実施するための最良の形態】
【００１１】
以下、この発明の手動工具を実施するための最良の形態を、図面に基づいて詳細に説明する。
【００１２】
この発明の手動工具は、図１〜図５に示したように、枢支軸１に枢支され開閉自在な一対の把手２、３と、これら把手２、３のそれぞれ先端部に回動自在に枢支されると共に連結板４に回動自在に枢支された押圧子５、５とを備えたものとしている。
【００１３】
前記把手２、３は、金属板をプレス成形することにより形成したものとしたり、金属を鍛造または焼結法、ロストワックス法など鋳鍛造により形成したものとしており、図３〜５に示したように、略コ字状の横断面を有し、互いに対向する対向部２ａ、２ａの間隔が、対向部３ａ、３ａの間隔より幅狭にしている。
【００１４】
前記把手２の対向部２ａ、２ａおよび把手３の対向部３ａ、３ａには、それぞれ挿入孔（図示せず）が穿設されており、把手２の対向部２ａ、２ａを把手３の対向部３ａ、３ａで挟み込んだ状態にして、前記それぞれの挿入孔に枢支軸１を挿通することにより、把手２、３はこの枢支軸１に枢支され、開閉自在となっている。なお、前記枢支軸１には、キックバネ６の巻部６ａを巻着し、このキックバネ６の足部６ｂ、６ｂをそれぞれ把手２、３の側壁２ｂ、３ｂに支持するようにしており、前記把手２、３は、キックバネ６により常時開く方向に付勢されている。
【００１５】
さらに、前記把手２、３には、枢支軸１付近まで合成樹脂製の筒状キャップ７、７が嵌挿されており、一方の把手２の端縁部２ｃ付近には、枢支軸１を中心とした弧状のラチェット８を端縁に形成したラチェット板９が着脱自在に取り付けられており、他方の把手３の端縁部３ｃ付近には、ラチェット８と係合可能な爪１０を有する回動体１１が枢着されている。
【００１６】
前記ラチェット板９は、金属板をプレス成形することにより形成したものとしたり、金属を鍛造または焼結法、ロストワックス法など鋳鍛造により形成したものとしている。そして、前記ラチェット板９には、止孔９ａを両端部に設けたものとし、ビス１２をこれらの止孔９ａに通して、把手２の端縁部２ｃ付近に設けたビス孔１３にねじ込んだものとして、把手２の端縁部２ｃ付近にラチェット板９を取り付けている。したがって、このビス１２を緩めて外せば、把手２からラチェット板９を外すことができる、ラチェット板９はこの把手２に着脱自在として取り付けられている。
【００１７】
前記回動体１１は、爪１０を形成した反対側に弾性体１４としての引張バネの一端が係止され、引張バネの他端は、把手３の対向部３ａに係止されており、この弾性体１４により、爪１０がラチェット８と係合する方向に付勢されており、爪１０はラチェット８と係合するようにしている。
【００１８】
前記押圧子５、５は、把手２、３の開閉動作により協動して開閉するように構成され、押圧子５、５の対向位置に形成された歯１５、１５間に支持される圧着端子等を押圧して圧着することができるようにしている。
【００１９】
また、前記一方の押圧子５には、円弧状の凸部１６が形成され、他方の押圧子５には、円弧状の凹部１７が形成され、前記凸部１６と凹部１７を嵌合し、この部位を中心として押圧子５、５が開閉するようにしている。
【００２０】
以上のように構成したこの発明の手動工具は、図１、２に示した状態から、把手２、３の開き動作を行うと、ラチェット８と爪１０とが係合し、図３、４に示したように、把手２、３をいっぱいに開くとラチェット８と爪１０との係合が外れる。そして、把手２、３のこの開き動作によって、押圧子５、５の歯１５、１５間も一定の間隔に開く。そこで、この一定の間隔に開いた歯１５、１５間に圧着端子を支持し、この圧着端子に電線やケーブルを挿入する。
【００２１】
次に、把手２、３の閉じ動作を行うと、ラチェット８と爪１０とが再び係合し、図１、２に示したように、把手２、３をいっぱいに閉じるとラチェット８と爪１０との係合が外れる。そして、把手２、３のこの閉じ動作によって、押圧子５、５の歯１５、１５間も一定の間隔に閉じる。したがって、押圧子５、５の歯１５、１５間に支持した圧着端子が、一定の間隔になった歯１５、１５に押圧され、電線やケーブルに圧着されることになる。
【００２２】
そして、前記電線やケーブルへの圧着端子の圧着が終了した後、把手２、３の開き動作を行うと、前記したのと同様に、押圧子５、５の歯１５、１５間も開くので、圧着端子の圧着が終了した電線やケーブルを押圧子５、５の歯１５、１５間から引き抜くことができる。
【００２３】
このような使用状態において、この発明の手動工具は、長年使用すると、ラチェット板９のラチェット８と回転体１１の爪１０は欠けたり、すり減ったりしてしまう。
【００２４】
ところが、この発明の手動工具では、ラチェット板９を把手２とは別体とし、この把手２に着脱自在に取り付けているので、ラチェット板９を把手２から取り外すことにより、ラチェット８を新しいものに交換することができ、また爪１０も把手３に枢着した回動体１１に形成しているので、この回動体１１を把手３から取り外すことにより、爪１０を新しいものに交換することもできる。
【００２５】
したがって、この発明の手動工具では、ラチェット８や爪１０が欠けたり、すり減ったりしてもラチェット板９や回転体１１のみを簡単に交換することができ、把手２、３ごと取り替えてしまったり、工具自体を廃棄してしまう必要がなく、安価に修理することができるものとなる。
【００２６】
なお、この発明の手動工具は、上記実施形態に示した圧着工具に限定されるものではなく、その他の手動工具、例えば切断工具などであってもよいことはいうまでもない。
【図面の簡単な説明】
【００２７】
【図１】この発明の手動工具の一実施形態を示す平面図である。
【図２】図１に示すこの発明の手動工具の要部を拡大した説明図である。
【図３】この発明の手動工具の把手および押圧子の開閉動作を表面側から見た状態を示す説明図である。
【図４】この発明の手動工具の把手および押圧子の開閉動作を裏面側から見た状態を示す説明図である。
【図５】この発明の手動工具のラチェット板を把手から外した状態を示す説明図である。
【図６】従来の手動工具の一例を示す一部切欠平面図である。
【図７】図６に示す従来の手動工具の要部斜視図である。
【符号の説明】
【００２８】
１  枢支軸
２  把手
３  把手
４  連結板
５  押圧子
８  ラチェット
９  ラチェット板
９ａ  止孔
１０  爪
１１  回転体
１２  ビス
１３  ビス孔
１４  弾性体
【図１】
2007075982.tif 000003
【図２】
2007075982.tif 000004
【図３】
2007075982.tif 000005
【図４】
2007075982.tif 000006
【図５】
2007075982.tif 000007
【図６】
2007075982.tif 000008
【図７】
2007075982.tif 000009